(57)【特許請求の範囲】
【請求項１】
映像を表示する表示手段と、
前記表示手段に表示される映像の種別を示す映像モードを選択する映像モード選択手段と、
映像モードと画面モードとを関連付けて記憶している記憶手段と、
前記映像モード選択手段により選択された映像モードに関連付けられている画面モードを前記記憶手段より呼び出し、前記表示手段の画面モードを切り替える制御手段と、
前記表示手段に表示されている映像の画面モードを切り替える画面モード切り替え操作ボタンと、
を備え、
前記記憶手段は、前記画面モード切り替え操作ボタンが押下されたことに対応して、前記画面モード切り替え操作ボタンが押下されたことにより切り替えられた後の前記画面モードと、前記表示手段に表示されている映像の映像モードとを関連付けて記憶する
表示装置。
【請求項２】
前記画面モードは、アスペクト比が４：３のノーマル、アスペクト比が１６：９である、映像の左右の部分が横方向に伸長されるワイド、映像の全体が横方向に伸長されるフルワード、映像の上下の部分がカットされるシネマ１、映像の上部のみがカットされるシネマ２のいずれか１つを少なくとも含む請求項１に記載の表示装置。
【請求項３】
前記映像モードは、ＤＶＤモード、ＴＶモード、またはＶＴＲモードを含む
請求項１または請求項２に記載の表示装置。
【発明の詳細な説明】
【技術分野】
【０００１】
本発明は、主として車載機器に使用する表示装置に関する。
【背景技術】
【０００２】
近年、テレビ（ＴＶ）やＤＶＤ、ビデオテープレコーダー（ＶＴＲ）等の映像機器より出力される映像ソースには、アスペクト比が４：３のノーマルサイズのほかに、アスペクト比が１６：９のワイドやフルワイド等、複数の画面モードが採用されていることから、映像ソースを表示する表示装置も、様々な画面モードに対応できようワイドモニターと呼ばれる横長な表示装置が使用されるようになってきている。
【０００３】
また自動車等の車両に搭載されたカーナビゲーション等の車載機器に使用されている表示装置には、薄型かつ小型の液晶表示装置が多く採用されているが、最近では、この表示装置を利用してＴＶやＤＶＤ、ＶＴＲ等の映像機器より出力される映像ソースも表示できるようにするため、車載機器用の表示装置にワイドやフルワイド等の画面モードの映像ソースも表示できる横長なワイドモニターが使用されるようになっている。
【０００４】
しかし従来の表示装置では、予め画面モードを例えば図６の（ａ）に示すようにノーマルに設定しておくと、画面モードをワイドやフルワイドに設定した方が好ましい映像ソースに切り換わったとしても、表示装置には図６の（ｂ）に示すようにノーマルサイズの映像が表示されてしまう問題がある。
【０００５】
かかる問題を改善するため、表示装置を操作するリモートコントローラ（リモコン）に画面モードを切り換えるスイッチボタンを設けたり、例えば特許文献１に記載されているように、表示装置の画面近傍に切り換えスイッチを設けることにより、映像ソースに応じて画面モードがスイッチにより切り換えられるようにした表示装置が公知となっている。
【特許文献１】特開平１０−１５５１２２号公報（段落番号「００１１」及び図1参照）
【発明の開示】
【発明が解決しようとする課題】
【０００６】
しかし映像ソースが変る毎にリモコンのスイッチボタンで画面モードを切り換えたり、前記特許文献１に記載された表示装置のように、表示装置に設けた切り換えスイッチにより画面モードを切り換える操作は煩雑である上、操作が面倒なために切り換え操作をしなかった場合は、表示される映像の一部が欠けることがあるため、従来の表示装置は使い勝手が悪い等の問題がある。
【０００７】
本発明はかかる問題を改善するためになされたもので、映像ソースに応じて自動的に画面モードが切り換わる表示装置を提供して、操作性の向上を図ることを目的とするものである。
【課題を解決するための手段】
【０００８】
本発明の表示装置は、映像機器より出力される映像ソースを表示手段に表示する表示装置であって、表示手段に表示する映像ソースを選択する映像ソース選択手段と、映像ソースと画面モードとを関連付けて記憶する記憶手段と、映像ソース選択手段により選択された映像ソースに応じて記憶手段より画面モードを呼び出し、表示手段の画面モードを切り換える制御手段とから構成したものである。
【０００９】
前記構成により、映像ソース選択手段により映像ソースを選択すると、映像ソースに応じて画面モードが切り換わるため、切り換えスイッチにより画面モードを切り換える等の煩雑な操作が不要となり、これによって表示装置の使い勝手が格段に向上すると共に、映像ソースと画面モードが一致しないために表示される映像の一部が欠ける等の問題も解消することができる。
【００１０】
本発明の表示装置は、画面モードは、アスペクト比が４：３のノーマルと、アスペクト比が１６：９のワイド及びフルワイド等から構成したものである。
【００１１】
前記構成により、映像ソースが種々に変わっても、映像ソースに応じた画面モードで映像ソースを鑑賞することができる。
【発明の効果】
【００１２】
本発明の表示装置によれば、映像ソースに応じて画面モードが自動的に切り換わるため、切り換えスイッチにより画面モードを切り換える等の煩雑な操作が不要となり、表示装置の使い勝手が格段に向上する。
【発明を実施するための最良の形態】
【００１３】
本発明の実施の形態を、図面を参照して詳述する。
【００１４】
図１は車載機器等に使用されるワイドモニターと呼ばれるアスペクト比が１６：９の液晶表示器からなる表示手段を有する表示装置の斜視図、図２は表示手段に表示される画面モードの説明図、図３は表示装置の構成を示すブロック図、図４は表示装置の作用を示すフローチャート、図５は作用説明図である。
【００１５】
図１に示す表示装置は、例えば車両に搭載された車載機器に使用するもので、車両のインストルメントパネル（図示せず）に取り付けられた装置本体１と、装置本体１に対して起伏自在な表示手段２とからなる。
【００１６】
表示手段２は、アスペクト比が例えば１６：９の横長な液晶表示器により形成されていて、装置本体１より出力される映像ソースの画面モードに応じて図２に示すような映像が表示できるようになっている。
【００１７】
図２の（ａ）は、画面モードがノーマルの場合に表示される映像で、アスペクト比が４：３のノーマルの場合は、表示手段２の表示部２ａの両側に黒帯部が発生した状態となり、主にＴＶ映像を表示する際に使用される。
【００１８】
図２の（ｂ）は、画面モードがワイドの場合に表示される映像で、画面に表示される映像の左右の部分が横方向に伸長されることにより、表示手段２の表示部２ａ全体に映像が表示され、ノーマルサイズのように表示部２ａの両側に黒帯部が発生することがなく、主にＶＴＲより出力される映像ソースを表示する際に使用される。
【００１９】
図２の（ｃ）は、画面モードがフルワイドの場合に表示される映像で、画面全体が横方向に伸長されることにより、表示手段２の表示部２ａ全体に映像が表示されるようになり、主にＤＶＤより出力される映像ソースを表示する際に使用される。
【００２０】
図２の（ｄ）及び（ｅ）は、映像ソースが映画等の場合に使用するシネマモードで表示される映像で、図２の（ｄ）では、画面の一部が伸長されない代りに、上下部の映像がカットされた状態となる。
【００２１】
図２の（ｅ）に示すシネマモードは、映像の下部に字幕スーパーが表示される外国映画等に適した画面モードで、画面の下部がカットされないので、字幕スーパーが切れることがない半面、画面の上部が図２の（ｄ）に示すシネマモードより多くカットされてしまう。
【００２２】
しかし何れのシネマモードも、画面の一部または全部が伸長されることがないので、例えば登場人物の顔が不自然に横長となることがない等の利点を有している。
【００２３】
一方表示装置は図３に示すように、装置本体１内にマイクロコンピュータよりなる制御手段３を有していて、この制御手段３により映像機器（図示せず）より出力された映像ソースを表示手段２へ出力して、表示部２ａに表示するように制御すると共に、制御手段３には、装置本体１の前面に設けられた複数の押しボタンよりなる操作ボタン群４が接続されている。
【００２４】
操作ボタン群４には、映像の種別を示す映像モードを選択する映像モード選択手段としての映像ソース選択手段４ａと、画面モード切り換え手段４ｂが設けられていて、映像ソース選択手段４ａにより表示手段２に表示する映像ソースを選択できるようになっていると共に、画面モード切り換え手段４ｂにより、表示手段２の表示部２ａに表示される画面モードを、映像ソースの画面モードに応じて任意に切り換えられるようになっている。
【００２５】
画面モード切り換え手段４ｂにより切り換えられた画面モードは、映像ソースの画面モードとともに制御手段３の記憶手段３ａに記憶されるようになっていて、以後記憶手段３ａに記憶された画面モードの映像ソースが制御手段３に入力された場合、表示手段２の画面モードが自動的に切り換えられるようになっている。
【００２６】
次に前記構成された表示装置の作用を図４に示すフローチャート及び図５に示す作用説明図により説明すると、表示装置により映像を表示する映像機器には、例えばＴＶやＤＶＤ、ＶＴＲ等があり、これら映像機器より出力される映像ソースにも、ノーマルやワイド、フルワイド等の複数種の画面モードがある。
【００２７】
図４は、各映像ソース及び画面モード毎に制御手段３の記憶手段３ａにその情報を記憶させる手順を示すフローチャートで、装置本体１の前面に設けられた操作ボタン群４の中の映像ソース選択手段４ａを操作して、映像機器より出力される映像ソースの選択をステップＳ１で行うと、ステップＳ２−１〜３で各モードに切り換えられる。
【００２８】
いまステップＳ１で、映像ソース選択手段４ａによりＴＶの映像ソースが選択されると、ステップＳ２−２でＴＶモードとなり、ステップＳ３−２へ進む。
【００２９】
ステップＳ３−２では操作ボタン群４の画面モード切り換え手段４ｂが押されたかが判定され、押されていなければ表示手段２の表示部２ａに４：３のノーマルの画面モードで映像を表示し、フローチャートのスタートへ戻るが、表示手段２の画面モードが例えばワイドになっている場合は、画面モード切り換え手段４ｂによりノーマルモードを選択する。
【００３０】
ステップＳ３−２で画面モード切り換え手段４ｂが押されたと判定されると、ステップＳ４−２へ進んで、映像ソースがＴＶで、画面モードはノーマルであることが関連付けられて制御手段３の記憶手段３ａへ記憶される。
【００３１】
同様にステップＳ１で、映像ソース選択手段４ａによりＤＶＤビデオの映像ソースが選択されると、ステップＳ２−１でＤＶＤビデオモードとなり、ステップＳ３−１へ進む。
【００３２】
そしてＤＶＤビデオの映像ソースが表示手段２の表示部２ａに表示されることになるが、このとき表示手段２がノーマルの画面モードになっていると、図５の（ａ）に示すように、ＤＶＤビデオの映像ソースがノーマルサイズで表示手段２の表示部２ａに表示されてしまう。
【００３３】
そこで画面モードをフルワイドに切り換えるべく画面モード切り換え手段４ｂを押すと、ステップＳ３−１からステップＳ４−１へ進んで、表示手段２の画面モードが図５の（ｂ）に示すようにフルワイドに切り換わると共に、映像ソースがＤＶＤビデオで、画面モードはフルワイドであることが関連付けられて制御手段３の記憶手段３ａに記憶される。
【００３４】
一方ステップＳ１で、映像ソース選択手段４ａによりＶＴＲの映像ソースが選択されると、ステップＳ２−３でＶＴＲモードとなり、ステップＳ３−３へ進むが、ビデオモードで映画等の映像ソースを見る場合、シネマ１とシネマ２の画面モードが選択できる。
【００３５】
シネマ１は前述したように、画面の一部または全部が伸長されないが、画面の上下部がカットされるため、字幕スーパーがある映像ソースの場合、字幕スーパー部分が切れてしまう不具合がある。
【００３６】
従って字幕スーパーのある映像ソースの場合は、シネマ２の画面モードを選択するとよい。
【００３７】
ステップＳ３−３でシネマ１の画面モードが選択されたと判定されると、シネマ１の画面モードに切り換えられて表示手段２の表示部２ａに図２の（ｄ）に示すシネマ１での映像が表示されると共に、ステップＳ４−３で、映像ソースがＶＴＲで、画面モードはシネマ１であることが関連付けられて制御手段３の記憶手段３ａに記憶される。
【００３８】
またステップＳ３−３で映像ソースがシネマ２の画面モードが選択されたと判定された場合は、シネマ２の画面モードに切り換えられて表示手段２の表示部２ａに図２の（ｅ）に示すシネマ２での映像が表示されると共に、ステップＳ４−３で、映像ソースがＶＴＲで、画面モードはシネマ２であることが関連付けられて制御手段３の記憶手段３ａに記憶される。
【００３９】
以上のようにして映像ソースと所望の画面モードとを関連付けて予め制御手段３の記憶手段３ａに記憶しておくことにより、次回からは映像機器より出力される映像ソースを選択するだけで、映像ソースに応じて表示手段２の画面モードが自動的に切り換えられ、映像ソースに応じた画面モードでの映像が表示手段２の表示部２ａに表示されるようになる。
【００４０】
すなわち、いままでＴＶの映像ソースを表示手段２の表示部２ａに表示して見ていた状態から、例えばＤＶＤビデオの映像ソースを選択すると、ＤＶＤより装置本体１内の制御手段３にＤＶＤビデオの映像ソースが入力される。
【００４１】
制御手段３は、入力されたＤＶＤビデオの情報が記憶手段３ａに記憶されているかを検索し、記憶されている場合はその内容から映像ソースがＤＶＤビデオで、画面モードはフルワイドであることの情報を読み出す。
【００４２】
そして読み出した情報をもとに表示手段２をフルワイドへ切り換えるもので、使用者は画面モード切り換え手段４ｂにより画面モードを切り換える操作を何等必要とせずにＤＶＤビデオの映像ソースを表示手段２で鑑賞できるようになる。
【００４３】
また映像機器から例えばＶＴＲやＴＶの映像ソースを選択した場合も、映像ソース及び画面モードに応じて表示手段２の画面モードが自動的に切り換えられるため、使用者は煩わしい操作を何等必要とせずに、映像ソースに応じた画面モードで映像を楽しむことができるようになる。
【００４４】
なお前記実施の形態では、映像ソースをＴＶ、ＤＶＤ、ＶＴＲの場合について説明したが、これらの映像ソースに限らず、様々な映像ソースに対応できるものである。
【００４５】
また車載機器に使用する表示装置にのみ限定されることはなく、家庭用、業務用の映像機器に使用する表示装置にも適用できるものである。
【産業上の利用可能性】
【００４６】
本発明の表示装置は、映像ソースに応じて画面モードが自動的に切り換わるため、切り換えスイッチにより画面モードを切り換える等の煩雑な操作が不要となり、これによって表示装置の使い勝手が格段に向上することから、車載機器等の表示装置に好適である。
【図面の簡単な説明】
【００４７】
【図１】本発明の実施の形態になる表示装置の斜視図である。
【図２】本発明の実施の形態になる表示装置に表示される画面モードの説明図である。
【図３】本発明の実施の形態になる表示装置の構成を示すブロック図である。
【図４】本発明の実施の形態になる表示装置の作用を示すフローチャートである。
【図５】本発明の実施の形態になる表示装置の作用を示す説明図である。
【図６】従来の表示装置の説明図である。
【符号の説明】
【００４８】
１      装置本体
２      表示手段
３      制御手段
３ａ    記憶手段
４      操作ボタン群
４ａ    映像ソース選択手段
【図１】
0004607468.tif 000002
【図２】
0004607468.tif 000003
【図３】
0004607468.tif 000004
【図４】
0004607468.tif 000005
【図５】
0004607468.tif 000006
【図６】
0004607468.tif 000007